(57)【要約】  【課題】  製造コストを低く抑えることが可能で、使用時点で容易に組み立てることのできる吊り下げ式商品ディスプレイを提供する  【解決手段】  一枚の板状素材から、商品保持部を打ち抜くことにより吊り下げ式商品ディスプレイを作製する。商品保持部は枠域部に四方を囲まれ、上端部又は下端部で折れ線を介して枠域部と連結する。商品保持部には、商品保持穴を設ける。例えば、練り歯磨き等のチューブ製品の場合、商品保持穴はダブテール形状とし、チューブの尾部をそこに引っ掛けることにより商品を保持する。このディスプレイは、一の打ち抜き工程により製造することが可能であることから、製造工程が従来に比べて短縮され、製造コストが低下する。【選択図】  図２
2005198741.tif 000002
【特許請求の範囲】
【請求項１】
一枚の板状素材を打ち抜くことにより作製されるものであって、
枠域部と、
枠域部に四方を囲まれ、上端部又は下端部で折れ線を介して枠域部と連結した商品保持部と、
商品保持部に設けられた商品保持穴と、
を有することを特徴とする吊り下げ式商品ディスプレイ。
【請求項２】
商品保持穴が、略ダブテール形状を有することを特徴とする請求項１に記載の吊り下げ式商品ディスプレイ。
【請求項３】
商品保持穴が、略円形状を有することを特徴とする請求項１に記載の吊り下げ式商品ディスプレイ。
【請求項４】
枠域部の両側部を裏面に折り返して固定したことを特徴とする請求項１〜３のいずれかに記載の吊り下げ式商品ディスプレイ。
【請求項５】
枠域部の両側部を前方に折り曲げ、商品保持部を同じく前方に折り曲げて、折り曲げた枠域部の両側部の前端と商品保持部の前端とを互いに係止することにより固定し、略水平の商品陳列台を形成したことを特徴とする請求項１に記載の吊り下げ式商品ディスプレイ。
【請求項６】
枠域部の下縁を前記両側部の折れ線に垂直な直線状とし、自立可能としたことを特徴とする請求項５に記載の吊り下げ式商品ディスプレイ。
【発明の詳細な説明】
【技術分野】
【０００１】
本発明は、商品を店頭に陳列する際に、主に吊り下げて使用される商品ディスプレイに関する。
【背景技術】
【０００２】
日用品や食品、化粧品等の商品を店頭に陳列する際、床置き式や吊り下げ式等の商品ディスプレイ等が利用される。吊り下げ式ディスプレイとしては、例えば、ポケット状の収容部を設けることにより商品を安定に収容できるようにしたディスプレイ等がある（特許文献１）。
【０００３】
また、練り歯磨き等のチューブを陳列する吊り下げ式ディスプレイとして、図１に示すようなものが知られている。この吊り下げ式ディスプレイ１０は、１枚の厚紙製の台紙１１に、同じく厚紙を打ち抜いた商品保持部１２をハトメ等で固定したものである。商品保持部１２には、チューブを保持するためのダブテール形状（開口部が狭小化された凹形状）の商品保持穴１３が複数並べられている。チューブは、その尾部（チューブの、キャップとは反対側の封止端）を商品保持穴１３に引っ掛けるようにして商品保持部１２に保持する。
【０００４】
【特許文献１】特開2002-186545号公報
【発明の開示】
【発明が解決しようとする課題】
【０００５】
日用品や食品は販売単価が安く、利益も薄い。このため、このような商品に使用されるディスプレイについては、製造工程を少なくし、製造コストをできるだけ低く抑えるのが望ましい。しかし、従来の吊り下げ式商品ディスプレイはいずれも複数の部材から成るため、その材料取りの際に無駄が生じやすく、素材コストが高いという問題があった。また、製造段階できちんと組み立て・固定をしておく必要があるため、組み立て・固定のために余計な工程が必要となっていた。
【０００６】
本発明が解決しようとする課題は、製造コストを低く抑えることが可能で、使用時点で容易に組み立てることのできる吊り下げ式商品ディスプレイを提供することである。
【課題を解決するための手段】
【０００７】
上記課題を解決するために成された本発明に係る吊り下げ式商品ディスプレイは、
一枚の板状素材を打ち抜くことにより作製されるものであって、
枠域部と、
枠域部に四方を囲まれ、上端部又は下端部で折れ線を介して枠域部と連結した商品保持部と、
商品保持部に設けられた商品保持穴と、
を有することを特徴とする。
【０００８】
本発明に係る吊り下げ式商品ディスプレイは、製造時には一枚の板状素材を打ち抜くだけで完成する。板状となっているため、輸送や保管に際してスペースを取らない。
スーパーマーケット等においてこれを使用する際、枠域部の上部に設けた穴に紐等を通してこれを壁等に吊し、折れ線により商品保持部を持ち上げ、その商品保持穴に商品を入れる。
【０００９】
本発明に係る商品ディスプレイにおいては、商品保持部は複数設けることが可能であり、また、１つの商品保持部に複数の商品保持穴を設けることができる。
【００１０】
商品保持部同士の間隔や商品保持部の形状、大きさは、陳列すべき商品に応じて適宜調整する。また、商品保持穴も、陳列すべき商品に応じた形状及び大きさとする。商品保持穴は、完全に閉じた穴としてもよいし、一部が開口した穴（例えば、上記ダブテール状）としてもよい。
【発明の効果】
【００１１】
本発明に係る吊り下げ式商品ディスプレイは、厚い板紙等の一枚の板状素材を用いて、１回の打ち抜き工程で作製することができる。また、複数の部材を組み立てる必要がないため、製造工程を大幅に単純化することができる。更に、材料取りを工夫することにより、材料の無駄を最小限に抑えることができる。
【００１２】
従来の吊り下げ式商品ディスプレイは、製造段階できちんと組み立て・固定をしておく必要があるため、組み立て・固定のために余計な工程が必要となっていたが、本発明に係る商品ディスプレイは、製造時には打ち抜き工程だけで済むため、製造工程が簡略化され、コストが低減される。そして、製造された状態においても一枚の板状であるため、輸送、保管のコストも低減することができる。また、最終的に使用される際（陳列の際）の組み立ても容易である。
【００１３】
本発明に係る吊り下げ式ディスプレイは、商品保持穴の形状やその位置、大きさ等を適宜変更することにより、上記のチューブ状商品の他、人形等の玩具や、円錐台形状の容器に入れられた菓子等の商品の陳列にも好適に用いることができる。
【発明を実施するための最良の形態】
【００１４】
以下において、図を用いて、本発明に係る吊り下げ式商品ディスプレイについて具体的に説明する。
【００１５】
（実施例１）
図２は、本発明の一実施例であるチューブ状商品用のディスプレイの概略構成図である。本実施例のディスプレイ２０は、１枚の厚紙から、横長のタブ状の領域を打ち抜くことにより商品保持部２１を形成したものである。図２の例では、３段の商品保持部２１を形成している。商品保持部２１は、その上端で周囲（枠域部２２と呼ぶ）と連結しており、その連結部分には、使用時に折りやすいように、プレス等で折れ線（一点鎖線）が形成されている。商品保持部２１の下端（自由端）には、ダブテール状の商品保持穴２３が設けられている。なお、図２とは逆に、商品保持部２１は、下端で枠域部２２と連結し、上端の自由端に商品保持穴２３を設けるようにしてもよい。
【００１６】
このディスプレイ２０は、枠域部２２の上方に設けた穴に紐等を通すことにより、商品陳列棚の側面部や壁等に吊り下げて使用される。商品陳列時には、図３のように、折れ線で折り曲げて商品保持部２１を前方に持ち上げ、チューブ状商品の尾部を商品保持穴２３に引っ掛けて商品を保持する。
枠域部２２には、その商品の宣伝等を印刷することができる。
【００１７】
（実施例２）
図４は、図２のディスプレイの変形例の概略構成図である。本変形例のディスプレイ３０の基本的な構造は図２のディスプレイ２０と同様であるが、本変形例のディスプレイ３０では、商品保持部２１の両側の枠域部２２（左右側部２２ａ）をディスプレイの裏面に折り返し、接着する。これにより、図２のディスプレイ２０比べて、より狭い場所にディスプレイを陳列することが可能になる。従って、本変形例のディスプレイ３０は、小さなスペースに多数の商品を陳列することが要求される、コンビニエンスストアのような店舗に好適に使用することができる。また、枠域部２２の左右側部２２ａがディスプレイ裏面に接着されるため、ディスプレイ３０の強度が高まり、より重い商品を陳列することが可能となる。
【００１８】
図５に、本変形例のディスプレイ３０にチューブ状商品を陳列した際の様子を表す。図２のディスプレイと同様、商品は、チューブの尾部を商品保持穴２３に引っ掛けることにより保持する。
【００１９】
（実施例３）
図６は、本発明の別の実施例であるディスプレイの概略構成図である。本実施例のディスプレイ４０も、図２の実施例と同様、１枚の厚紙を打ち抜くことにより商品保持部４１と枠域部４２を形成する。本実施例のディスプレイでは、商品保持部４１は下端で折れ線を介して枠域部４２と連結している。商品保持部４１は図２のものよりも幅広となっており、内部に２本の水平方向の折れ線が設けられている。枠域部４２との境界線と次の折れ線との間が上面領域４１ａ、両折れ線の間の領域が前面領域４１ｂ、そして２本目の折れ線と自由端との間の領域が底面領域４１ｃとなる。上面領域４１ａには円形の商品保持穴４３が形成され、底面領域４１ｃの上縁の両側には短い切れ込み（係止溝４４ａ）が設けられている。
一方、商品保持部４１の両側の枠域部４２（左右側部４２ａ）も、それぞれ折れ線により、折り曲げ可能となっている。左右両側部４２ａの、各商品保持部４１に対応する高さの位置の縁にも、短い切れ込み（係止溝４４ｂ）が設けられている。
【００２０】
このディスプレイを使用する際には、商品保持部４１と枠域部４２の境界で折り曲げて商品保持部４１を前方に引き出し、商品保持部４１の２本の折れ線で同じ向きに折り曲げる。次に、枠域部４２の左右側部４２ａを前方にほぼ直角に曲げ、商品保持部４１の係止溝４４ａと枠域部４２の係止溝４４ｂを互いに差し込むことにより、両者を固定する。これにより、前方に突出した商品陳列台が形成される（図７）。
【００２１】
チューブ状商品を陳列する場合は、図８に示すように、キャップ部分を商品保持穴４３に収める。チューブ状商品の場合、商品保持穴４３の大きさを調整することにより商品を適度な位置で保持することができるが、単なる筒状の商品であっても、底面領域４１ｃにより、商品の潜りすぎが防止される。
【００２２】
図８に示すように、商品が十分な高さを有し、枠域部４２で保持され得る場合は、上面領域４１ａがやや後傾するように、左右両側部４２ａの係止溝４４ｂの位置を調整することが望ましい。これにより、商品の前倒れを防止することができる。
【００２３】
なお、本実施例のディスプレイ４０では、図６に示すように、枠域部４２の下縁を水平に（左右両側部４２ａの折れ線に垂直に）しておくことにより、図７のように組み立てた後、自立させることが可能となる。これにより、吊り下げ型としても床置き型としても使用することができるようになる。
【００２４】
（実施例４）
図９は、図６のディスプレイの変形例の概略構成図である。本変形例のディスプレイ５０の基本的な構成は図６のディスプレイ４０と同様であるが、図９のディスプレイ５０では、上面領域４１ａの両側にそれぞれ、垂直方向の折り曲げ線を介して、側面領域４１ｄが設けられている。このような構造とすることにより、ディスプレイ５０を組み立てた状態で、側面領域４１ｄが底面領域４１ｃに当たり、上面領域４１ａを両側から支えることとなる。このため、上面領域４１ａが変形しにくくなり、より確実に商品を保持することができるようになる。
【００２５】
（実施例５）
図１０は、図６のディスプレイの別の変形例の概略構成図である。図１１は図１０のディスプレイの組立後の概略構成図である。本変形例のディスプレイ６０の基本的な構成は図６のディスプレイ４０と同様であるが、図１０のディスプレイ６０では、枠域部４２の上側の領域４２ｂが、水平方向の折り曲げ線を介して折り返されるようになっている。このように枠域部４２の上部領域４２ｂを二重にすることにより、この領域の強度が増すため、より重い商品を陳列することができるようになる。
【００２６】
図１２は、本発明の別の実施例であるディスプレイの概略構成図である。本実施例のディスプレイ７０の基本的な構造は図２のディスプレイと同様であるが、商品保持部７１は下端で枠域部７２と連結している。また、商品保持部７１の商品保持穴７３は略円形となっている。
このディスプレイは、図１３に示すように、円錐状の商品を陳列するのに適している。
【図面の簡単な説明】
【００２７】
【図１】従来のチューブ状商品用の吊り下げ式ディスプレイの概略構成図。
【図２】本発明の一実施例であるチューブ状商品用のディスプレイの概略構成図。
【図３】図２のディスプレイに商品を陳列した様子を表した図。
【図４】図２のディスプレイの変形例であるチューブ状商品用ディスプレイの概略構成図。
【図５】図４のディスプレイに商品を陳列した様子を表した図。
【図６】本発明の別の実施例であるチューブ状商品用のディスプレイの概略構成図。
【図７】図６のディスプレイの組立後の概略構成図。
【図８】図６のディスプレイに商品を陳列した様子を表した図。
【図９】図６のディスプレイの変形例であるチューブ状商品用ディスプレイの概略構成図。
【図１０】図６のディスプレイの別の変形例であるチューブ状商品用のディスプレイの概略構成図。
【図１１】図１０のディスプレイの組立後の概略構成図。
【図１２】本発明の別の実施例である円錐形状を有する商品用のディスプレイの概略構成図。
【図１３】図１２のディスプレイに商品を陳列した様子を表した図。
【符号の説明】
【００２８】
１０…ディスプレイ
１１…台紙
１２…商品保持部
１３…商品保持穴
２０…ディスプレイ
２１…商品保持部
２２…枠域部
２２ａ…左右側部
２３…商品保持穴
３０…ディスプレイ
４０…ディスプレイ
４１…商品保持部
４１ａ…上面領域
４１ｂ…前面領域
４１ｃ…底面領域
４１ｄ…側面領域
４２…枠域部
４２ａ…左右側部
４２ｂ…上部領域
４３…商品保持穴
４４…係止溝
４４ａ…ａ係止溝
４４ｂ…ｂ係止溝
５０…ディスプレイ
６０…ディスプレイ
７０…ディスプレイ
７１…商品保持部
７２…枠域部
７３…商品保持穴
【図１】
2005198741.tif 000003
【図２】
2005198741.tif 000004
【図３】
2005198741.tif 000005
【図４】
2005198741.tif 000006
【図５】
2005198741.tif 000007
【図６】
2005198741.tif 000008
【図７】
2005198741.tif 000009
【図８】
2005198741.tif 000010
【図９】
2005198741.tif 000011
【図１０】
2005198741.tif 000012
【図１１】
2005198741.tif 000013
【図１２】
2005198741.tif 000014
【図１３】
2005198741.tif 000015